(57)【特許請求の範囲】
【請求項１】
縦壁面に取付けられ、上記縦壁面から突出するように形成される水栓装置であって、
上記縦壁面に取付けられる基部と、
上記水栓装置の先端側に設けられ、湯水を吐水する吐水口を有し、引き出した状態で吐水を行うことができる可動部と、
上記可動部と上記基部との間に設けられ、上記可動部を可動させる関節部と、
少なくとも一部が可撓性を有し、給水源からの湯水を給水するため、上記基部を通って上記可動部に接続される通水部材と、を備え、
上記関節部は、上記関節部が上記縦壁面に取付られた上記基部に横向きに挿入された状態で、上記基部の前端よりも後方側に設けられるヒンジ部を備え、上記関節部の上記ヒンジ部は、上記通水部材に直交する回転軸を形成し、上記関節部は、上記関節部が上記基部に挿入された状態では、上記基部の前端よりも後方側において上記ヒンジ部を中心に屈曲できるように形成され、上記関節部の内側において、上記通水部材が上記関節部とは別体として配置されている、ことを特徴とする水栓装置。
【請求項２】
上記関節部の上記ヒンジ部は、上記通水部材の両側に配置され、それぞれ外方に突出し、上記関節部は、さらに、先端側に連結された上記可動部を、上記ヒンジ部を中心に回動するように上記ヒンジ部に取付けられる腕機構部を備えている、請求項１記載の水栓装置。
【請求項３】
上記関節部は、上記可動部の姿勢を保持できる複数の回動停止位置を有する姿勢保持機構を備え、上記姿勢保持機構は、複数の上記回動停止位置で、上記関節部の回動動作を、段階的に停止させることができるように構成されている、請求項１又は２に記載の水栓装置。
【請求項４】
上記関節部は、上記通水部材を内側に配置し且つ両側の外側面に形成された複数の凹部を有しているホースガイドと、
ホースガイドの両側面の外側において可動する可動部本体と、
上記可動部本体の両側面の孔部内に取付けられる小球と、
上記可動部本体の両側面を挟み込むように取付けられる板ばねと、を備え、
上記姿勢保持機構は、上記板ばねが小球を上記ホースガイドのガイド凹部に押し付けるように形成されている、請求項３に記載の水栓装置。
【請求項５】
上記水栓装置は、上記関節部及び上記可動部を、取付け状態から引き出した状態で、回動させることができ且つ上記可動部からの吐水を行うことができるプルアウト式の水栓装置を形成している、請求項１乃至４の何れか１項に記載の水栓装置。
【請求項６】
洗面ボウルと、
請求項１乃至５の何れか１項に記載の水栓装置と、
を有することを特徴とする洗面化粧台。
【発明の詳細な説明】
【技術分野】
【０００１】
本発明は、水栓装置及びそれを備えた洗面化粧台に関し、特に、壁面に取付けられ、壁面から突出するように形成される水栓装置及びそれを備えた洗面化粧台に関する。
【背景技術】
【０００２】
特許文献１に示すように、洗面化粧台において、壁面から突出するように形成される水栓装置が知られている。洗面器を載置する台の水栓取付面に対して横向きに回動自在に取付けられる水栓装置とを具備し、水栓装置が取付基部と吐水部とからなり、吐水部と取付基部とは着脱自在に構成され、吐水部には取付基部の内部に挿通されたシャワーホースが接続され、吐水部が引き伸ばせる洗面化粧台が知られている。このような洗面化粧台に用いられる水栓装置では、使用者が洗髪をする際（洗髪時）には吐水部を引き出した状態で使用者側に近い着水位置に向けて吐水できるように使用し、通常使用時には吐水部を取付けた状態で使用者から比較的遠い着水位置に向けて吐水するように使用していた。
【先行技術文献】
【特許文献】
【０００３】
【特許文献１】特開２００４−５７２７３号公報
【特許文献２】実開平５−５７０５９号公報
【発明の概要】
【発明が解決しようとする課題】
【０００４】
上記のような水栓装置において、吐水口から吐水される湯水の着水位置をより自由に変えることができ、使い勝手のよい水栓装置を提供するための研究を行った。この研究において、壁面から突出するように形成される水栓装置において、壁面から突出する部分の途中に吐水口の向きを変えられるような可動部分を設けることが検討された。
しかしながら、水栓の取付け面から突出する部分の途中に可動部分を設ける場合には、例えば特許文献２に示すように、可動部分において通水する内部流路も共に可動できるように形成しなければならないため、繰り返しの可動に伴って破損しやすい可動部分の破損により、内部流路も破損して、漏水を生じるという問題がある。
【０００５】
従って、本発明は、関節部が破損したとしても、関節部の内側に別体として配置された通水部材からの漏水を抑制することができ、水栓装置からの漏水を抑制することができる水栓装置及びそれを備えた洗面化粧台を提供することを目的としている。
【課題を解決するための手段】
【０００６】
上述した課題を解決するために、本発明は、縦壁面に取付けられ、縦壁面から突出するように形成される水栓装置であって、縦壁面に取付けられる基部と、水洗装置の先端側に設けられ、湯水を吐水する吐水口を有し、引き出した状態で吐水を行うことができる可動部と、可動部と基部との間に設けられ、可動部を可動させる関節部と、少なくとも一部が可撓性を有し、給水源からの湯水を給水するため、基部を通って可動部に接続される通水部材と、を備え、関節部は、関節部が縦壁面に取付られた基部に横向きに挿入された状態で、基部の前端よりも後方側に設けられるヒンジ部を備え、関節部のヒンジ部は、通水部材に直交する回転軸を形成し、関節部は、関節部が基部に挿入された状態では、基部の前端よりも後方側においてヒンジ部を中心に屈曲できるように形成され、関節部の内側において、通水部材が関節部とは別体として配置されていることを特徴としている。
このように構成された本発明においては、通水部材が関節部の内側において関節部とは別体として配置されているので、関節部が破損したとしても、関節部と別体として配置された通水部材からの漏水を抑制することができ、水栓装置からの漏水を抑制することができる。
【０００７】
本発明において、好ましくは、関節部のヒンジ部は、通水部材の両側に配置され、それぞれ外方に突出し、関節部は、さらに、先端側に連結された可動部を、ヒンジ部を中心に回動するようにヒンジ部に取付けられる腕機構部を備えている。
このように構成された本発明においては、通水部材の両側の外側に設けられたヒンジ部に、先端側に連結された可動部をヒンジ部を中心に回動するように、腕機構部が取付けられるので、片側でヒンジ部に腕機構部を取付けて可動部を回動させる場合と比べて、可動部を回動するためのヒンジ部及び腕機構部の耐久性及び信頼性を向上させることができる。従って、関節部の耐久性及び信頼性を向上させ、吐水口から吐水される湯水の着水位置を変えられるように可動する水栓装置の耐久性及び信頼性を向上させることができる。
また、関節部のヒンジ部及び腕機構部が破損した場合にも、関節部と別体として配置された通水部材からの漏水を抑制することができ、水栓装置からの漏水を抑制することができる。
【０００８】
本発明において、好ましくは、関節部は、可動部の姿勢を保持できる複数の回動停止位置を有する姿勢保持機構を備え、姿勢保持機構は、複数の回動停止位置で、関節部の回動動作を、段階的に停止させることができるように構成されている。
このように構成された本発明においては、関節部は、姿勢保持機構により、複数の位置で可動部の姿勢を保持できることにより、回動の際に、可動部を複数の回動停止位置において所定の姿勢で保持することができ、可動部が自重により下方に向きを変えること、又は吐水する湯水の水圧の反動により可動部が上方に向きを変えることを抑制することができる。従って、使用者が使用したい吐水姿勢で可動部の姿勢を固定することができる。
【０００９】
本発明において、好ましくは、関節部は、通水部材を内側に配置し且つ両側の外側面に形成された複数の凹部を有しているホースガイドと、ホースガイドの両側面の外側において可動する可動部本体と、可動部本体の両側面の孔部内に取付けられる小球と、可動部本体の両側面を挟み込むように取付けられる板ばねと、を備え、姿勢保持機構は、板ばねが小球をホースガイドのガイド凹部に押し付けるように形成されている。
このように構成された本発明においては、姿勢保持機構は、板ばねの弾性力により、板ばねが小球をホースガイドのガイド凹部に押し付けるように形成されているので、小球が凹部に嵌まる際の衝撃（クリック感）を生じさせるようになっている。このような衝撃（クリック感）が生まれるため、所定の位置に可動部本体及び小球が回動されたことを確実に使用者に認識させることができる。また、この所定の位置で小球及びガイド凹部とが嵌合した状態で、可動部を所定の姿勢で保持することができる。
【００１０】
本発明において、好ましくは、水栓装置は、関節部及び可動部を、取付け状態から引き出した状態で、回動させることができ且つ可動部からの吐水を行うことができるプルアウト式の水栓装置を形成している。
このように構成された本発明においては、関節部及び可動部を、取付け状態から引き出した状態で、回動させることができ且つ可動部からの吐水を行うことができるので、使用の状態に応じて、可動部の吐水口から吐水される湯水の着水位置をより自由に変えることができ、使い勝手のよい水栓装置を提供することができる。
【００１１】
また、本発明の洗面化粧台は、洗面ボウルと、本発明の水栓装置と、を有することを特徴としている。
このように構成された本発明においては、洗面化粧台に設けられた水栓装置が、洗髪時には可動部の吐水口を比較的高い位置に上昇させて壁面から離れた着水位置に向かって吐水させることができ、また、手洗い時には可動部の吐水口を比較的低い位置に下降させて壁面近傍の着水位置に向かって吐水させることができる。従って、可動部の吐水口を使用者の使いやすい方向に向けることができ、使い方によって異なる状態で生じる水はねを抑制することができる。また、使用者の使い勝手のよい洗面化粧台を提供することができる。
【発明の効果】
【００１２】
本発明の水栓装置及びそれを備えた洗面化粧台によれば、関節部が破損したとしても、関節部の内側に別体として配置された通水部材からの漏水を抑制することができ、水栓装置からの漏水を抑制することができる。
【図面の簡単な説明】
【００１３】
【図１】本発明の一実施形態による水栓装置を備えた洗面化粧台の全体を示す概略斜視図である。
【図２】本発明の一実施形態による水栓装置について、吐水部を第３吐水姿勢にした状態で、吐水口部の本体カバーを取って吐水部の内部構造を示す概略斜視部である。
【図３】本発明の一実施形態による水栓装置の分解斜視図である。
【図４】本発明の一実施形態による水栓装置の概略中央断面図である。
【図５】本発明の一実施形態による水栓装置について、吐水部を引き出している状態を示す概略断面図である。
【図６】図４のＶＩ−ＶＩ線に沿って見た断面図である。
【図７】本発明の一実施形態による水栓装置について、吐水口部が引上げられ、吐水部が第２吐水姿勢をとっている状態を示す概略断面図である。
【図８】本発明の一実施形態による水栓装置について、吐水口部が引上げられ、吐水部が第３吐水姿勢をとっている状態を示す概略断面図である。
【図９】本発明の一実施形態による水栓装置について、吐水口部が左向きに傾けられた第２傾き姿勢をとっている状態を下方から見た概略図である。
【図１０】本発明の一実施形態による水栓装置について、吐水口部が右向きに傾けられた第３傾き姿勢をとっている状態を下方から見た概略図である。
【図１１】本発明の一実施形態による水栓装置について、吐水部を取付基部に取付けた状態において、吐水部の下方から規制部を見た概略図である。
【図１２】本発明の一実施形態による水栓装置について、吐水部を取付基部に取付けた状態において、吐水部の下方から規制部を見た概略図である。
【発明を実施するための形態】
【００１４】
次に、添付図面を参照して、本発明の一実施形態による水栓装置を備えた洗面化粧台を説明する。
図１は本発明の一実施形態による水栓装置を備えた洗面化粧台の全体を示す概略斜視図であり、図２は本発明の一実施形態による水栓装置について、吐水部を第３吐水姿勢にした状態で、吐水口部の本体カバーを取って吐水部の内部構造を示す概略斜視部である。
なお、本発明の一実施形態による水栓装置を備えた洗面化粧台を説明するにあたり、洗面化粧台の使用者が立つ手前側を前側（正面側）とし、洗面化粧台の背面が取付けられる壁面側を後側（奥側）とし、洗面化粧台の前に立った使用者から見て右側を右側、左側を左側と称する。
【００１５】
図１及び図２に示すように、本発明の一実施形態による水栓装置を有している洗面化粧台１は、下部キャビネット２と、下部キャビネット２の上に設けられた洗面ボウル４と、洗面ボウル４の上方の壁面パネル８上に配置された水栓装置６と、水栓装置６からの吐水状態を操作することができる操作部１０と、を有している。本発明の一実施形態による水栓装置６は、洗面化粧台１以外にも、キッチン、お風呂、流し、公共施設等の壁面に設置することができる。
【００１６】
下部キャビネット２は、背面が洗面化粧台１を設置する壁面Ｗに当接するように床面上に配置され、内部に物品を収納することができるように構成されている。
洗面ボウル４は、下部キャビネット２の天面上に配置され、洗面化粧台１の奥行きの大部分を洗面用のスペースとして活用できるように構成されている。なお、本実施形態においては、洗面ボウル４は樹脂製である。洗面化粧台１は、１つのユニットとして壁面Ｗに背面側で取付けられるようになっている。
【００１７】
水栓装置６は、洗面ボウル４の上方の奥側の壁面パネル（壁面）８上に設けられている。壁面パネル８は、洗面化粧台１の使用者と対向する壁面を形成している。壁面パネル８は、洗面化粧台１を幅方向に横断するように横長に構成されている。また壁面パネル８は、縦方向に延びる平坦な縦壁を形成している。壁面パネル８は、鉛直方向に延びていてもよく、又は縦方向において傾斜していてもよい。例えば、壁面パネル８は、上部が使用者側に向かって近づくように部分的に傾斜していてもよい。また、例えば、壁面パネル８は、縦壁が曲面を有していてもよい。
壁面パネル８は、壁面Ｗから前方側に突出するような箱形状の箱体として構成される水栓装置ボックスを形成し、その内部側（奥側）に水栓装置６の取付基部１２や給水ホース１４等の各種機能部品が配置できるようになっている。本実施形態においては、水栓装置６は、壁面パネル８に取付けられているが、施設側の壁面Ｗに直接取付けられてもよい。
【００１８】
また、水栓装置６は、壁面パネル８に取付けられ、壁面パネル８から突出するように形成される。この水栓装置６は、ホースガイド３０を取付基部１２に取付けた状態のままで引き出しできないように構成されるような、基部が壁面パネル８に完全に固定されるタイプのものであってもよい。
【００１９】
操作部１０は、洗面ボウル４の上方の奥側の壁面パネル８上に設けられている。使用者が、操作部１０を手前側上方に向かって引上げる操作及び奥側下方に向かって押下げる操作を行うことにより、水栓装置６から湯水を吐水させる吐水状態、水栓装置６から湯水を吐水させないようにしている止水状態を切替え、操作部１０の引上げ量に応じて吐出される湯水の流量を調節する操作を行うことができる。また、使用者が、操作部１０を左右に回動操作することにより、水栓装置６の上流側に設けられた湯水混合水栓装置等を操作し、水栓装置６から吐水される湯水を、給湯器（図示せず）から供給されるお湯の割合が多い比較的高温の湯水、外部水道等の給水源（図示せず）から供給される水の割合が多い比較的低温の湯水、外部水道等の給水源（図示せず）から供給される水のみを吐水させるような室温の湯水等の、さまざまな温度を有する湯水に温度調整もすることができる。
なお、本発明において使用する用語「湯水」は、湯水混合水栓装置等において温度調節されて湯と水が混合された湯水のみならず、外部水道から給水された水のみを給水させてこの水に湯を混合させていない水、適温まで加熱され水を混合させていない湯も含む意味で使用されている。
【００２０】
次に、図２乃至図５を参照して、洗面化粧台１に備えられている水栓装置６の詳細を説明する。
図３は本発明の一実施形態による水栓装置の分解斜視図であり、図４は本発明の一実施形態による水栓装置の概略中央断面図であり、図５は本発明の一実施形態による水栓装置について、吐水部を引き出している状態を示す概略断面図である。
水栓装置６は、壁面パネル８に取付けられる取付基部１２と、壁面パネル８の前面側に取付けられる取付固定部１３と、湯水混合水栓装置等の給水源からの湯水を給水するため、取付基部１２を通って吐水部１６まで延びる給水ホース１４と、取付基部１２から着脱可能に形成され、湯水を吐水口から吐水する吐水部１６と、を有している。
【００２１】
水栓装置６は、吐水部１６に給水ホース１４が接続されており、吐水部１６を引き出して洗髪や、洗面ボウル４の清掃に利用できるように構成されているプルアウト式の水栓装置を形成している（図５）。水栓装置６は、また、後述するように、プルアウト側の吐水部１６において吐水口部２８から吐水する湯水の吐水方向を変更できるようになっており、さらに、後述するように、吐水部１６を取付基部１２に取付けた状態において吐水口部２８の傾きを前後方向及び左右方向に調節できるようになっており、吐水する湯水の吐水方向を詳細に変更及び調節できるようになっている。
【００２２】
図３及び図４等に示すように、取付基部１２は、壁面パネル８内に取付けられるようになっている。より具体的には、取付基部１２は、壁面パネル８内に内側（裏側）からはめ込まれるように取付けられ、ねじ１８によりねじ止めされている。よって、取付基部１２の位置及び向きは、常に変化しないようになっている。
図３及び図４等に示すように、取付基部１２は、壁面パネル８内に埋め込まれた状態で配置されている。取付基部１２は、後述するホースガイド３０と接続する固定継手を形成している。取付基部１２は、その内側にホースガイド３０を受け入れた状態で、ホースガイド３０と嵌合し、吐水部１６を取付基部１２に取付けた状態とすることができる。取付基部１２は、その内側に嵌合している状態の吐水部１６のホースガイド３０を、使用者の手指の力により比較的簡単に抜き出して、嵌合を解除した状態、すなわち吐水部１６を壁面パネル８から引き出した状態とすることができるように構成されている。また、取付基部１２は、引き出されて嵌合していない状態の吐水部１６のホースガイド３０を、使用者の手指の力により比較的簡単に挿入して、嵌合した状態、すなわち吐水部１６を壁面パネル８に固定された取付基部１２内に取付けた状態とすることができるように構成されている。
【００２３】
取付基部１２は、内側に後述するホースガイド３０の円筒基部４８を受け入れるような円筒状の空間を形成している円筒取付基部２０を有している。取付基部１２の円筒取付基部２０の径は、ホースガイド３０の円筒基部４８の径よりもわずかに大きく形成されている。取付基部１２の円筒取付基部２０内には、ホースガイド３０が挿入された状態で、さらに給水ホース１４が配置される。給水ホース１４は、取付基部１２の円筒取付基部２０の内側において、自在に移動可能に配置されており、吐水部１６とともに取付基部１２の内側から引き出される及び/又は押し戻して収納することができる。
【００２４】
取付固定部１３は、壁面パネル８の前面側に固定され、壁面パネル８の前面側から取付基部１２に延びる円筒形状の通路を形成している。取付固定部１３の内側の通路にホースガイド３０が挿入されるようになっている。取付固定部１３は、ホースガイド３０の挿入深さをほぼ一定にすることができる。また、ホースガイド３０を内部から自由に引き出すことができるようになっている。
本実施形態においては、取付基部１２と、取付固定部１３とが、壁面に取付けられている水栓装置６の基部を構成している。基部は、水栓装置６の壁面に取付けられている部分を示し、水栓装置６のうち、壁面パネル８から吐水口部２８に向かって若干突出している部分まで基部となっている。関節部が基部の先端側（吐水口部２８）に取付けられるので、関節部は、壁面パネル８から若干突出している基部の先に取付けられている部材である。
【００２５】
給水ホース１４は、一端が吐水部１６に接続され、他端が湯水混合水栓装置等の給水源に接続され、外部水道及び/又は給湯器等から供給される湯水（湯を混合していない水を含む）を給水できるようになっている。例えば、給水ホース１４は、湯水混合水栓装置（図示せず）に接続され、この湯水混合水栓装置には、図９及び図１０に示すように、外部水道等から延びる給水管２２及び給湯器から延びる給湯管２４が接続されている。給水ホース１４は、他端が湯水混合水栓装置に直接接続される場合のみならず、他の配管や流路継手等の他の流路部材に接続されていてもよい。給水源は、外部水道等に接続される湯水混合水栓装置等の湯水の給水源の他に、湯水混合水栓装置を省略した外部水道等の給水源であってもよい。ここで、湯水混合水栓装置とは、外部水道と、給湯器と、に接続され、外部水道から供給される水と、給湯器とから供給される湯とを混合して湯水を所定の温度で給水できるように構成されている給水装置である。
【００２６】
給水ホース１４は、金属により被覆されたフレキシブルホースにより形成されている。給水ホース１４は、吐水部１６を取付基部１２に取付けた状態において、給水ホース１４の一端の取付け部分（例えば、吐水部）と他端の取付け部分（例えば、湯水混合水栓装置）との間の距離に対して、給水ホース１４の長さが長く形成されており、使用者が、吐水部１６及び給水ホース１４を余裕をもって引き出して使うことが出来るようになっている。給水ホース１４は、吐水部１６を取付基部１２に取付けた状態においては、壁面パネル８等の洗面化粧台１の内部に収納されるようになっている。給水ホース１４は、吐水口部２８に接続された状態において、吐水部１６の内側領域、例えば、可動部本体３２の内側領域、ホースガイド３０の内側領域等においても可撓性を有するようになっている。
【００２７】
本実施形態においては、給水ホース１４は、少なくとも一部が可撓性を有し、給水源からの湯水を給水するため、基部を通って可動部に接続される通水部材を構成している。吐水口部２８内の通水路の一部が通水部材を構成していてもよい。
給水ホース１４は、ホースガイド３０及び可動部本体３２等の関節部の構成部材とは別体として構成されている。別の言い方によれば、給水ホース１４（通水部材）の内部流路は、ホースガイド３０及び可動部本体３２によっては形成されない。ホースガイド３０及び可動部本体３２によって形成される内部空間は、その内部空間そのものが流路となるわけではなく、その内部空間に別体の通水部材を摺動可能に配置するための空間である。このように構成することにより、ホースガイド３０又は可動部本体３２等の可動部を可動させるための関節部の一部部材が破損した場合においても、破損部分の内側に配置された通水部材が破損していなければ漏水することはなく、関節部の一部部材が破損した場合における水栓装置６からの漏水のリスクを抑制することができる。
【００２８】
また、通水する流路を直接流路の向きを変更させるように曲げることがなく、通水する流路を構成する給水ホース１４は、関節部が回動するときに、間接的に且つ緩やかに関節部の動きに追従して向きを変えることができるので、給水ホース１４にかかる負荷を低減することができ、給水ホース１４から漏水するリスクを低減することができる。
また、給水ホース１４は、ホースガイド３０の内側に形成される内部空間、及び/又は可動部本体３２の内側に形成される内部空間内において、別体として配置され、上下左右に比較的自由に移動できるように配置されているので、関節部が回動するときに、回動部に接続されている通水部材の給水ホース１４が追従するように曲るときの、給水ホース１４にかかる曲げの負荷も低減させることができる。従って、関節部が繰り返し回動されるような場合においても、給水ホース１４にかかる曲げの負荷を低減させることができ、給水ホース１４から漏水するリスクを低減することができる。
【００２９】
吐水部１６は、吐水部１６の正面側において下方斜め前方に向けて突出するように設けられ且つその先端側において吐水口２６を形成している吐水口部２８と、給水ホース１４の周りを少なくとも一部覆うようなガイド部分を形成するホースガイド３０と、ホースガイド３０の両側面を少なくとも一部覆うように形成された可動部本体３２と、可動部本体３２の両側面を挟み込むように取付けられる板ばね３４と、ホースガイド３０と可動部本体３２との間に配置される第１小球３６と、を備えている。
【００３０】
吐水口部２８は、供給された湯水を吐水する機能を有する吐水口形成部３８と、吐水口形成部３８の外側に配置される外筒４０と、外筒４０と接続されるスペーサ４２と、吐水口形成部３８、外筒４０及びスペーサ４２を覆うように形成されている本体カバー４６と、を備えている。
【００３１】
本実施形態においては、吐水口部２８は、水洗装置６の先端側に設けられ、湯水を吐水する吐水口２６を有している可動部を構成している。可動部は、吐水口部２８と共に回動される他の部材を含んでいてもよい。可動部は、関節部によって可動され、吐水口２６から吐水される水の着水位置（到達位置）を変えられるように可動されることができる。
【００３２】
吐水口部２８は、Ｌ字形状よりも内側の角度がさらに広く広がったような屈曲形状を有している。吐水口部２８は、横向きから斜め下方向きに曲がるように形成されている。例えば、吐水口部２８は、その入口部から出口部に向かって９０度〜１２０度程度曲がるように形成されている。
吐水口部２８は、吐水口形成部３８を有し、吐水口部２８の向きに湯水を吐水するようになっている。吐水口部２８は、吐水部１６の中でも先端側の部分を構成している。吐水口部２８は、壁面パネル８から離間して配置され、壁面パネル８に対して移動できるようになっている。
なお、吐水口部２８に切り替えスイッチ（図示せず）を設け、この切り替えスイッチにより直流吐水とシャワー吐水を切り替えられるようにしてもよい。
【００３３】
吐水口形成部３８は、流路の先端に形成され、供給された湯水を主に吐水口部２８の向けている方向に吐水するようになっている。スペーサ４２は内部に流路を形成し、吐水口部２８の形状に合わせて横向きから斜め下方向きに流路の向きを変えるようになっている。スペーサ４２の入口の流路には、給水ホース１４が挿入されるようにして接続される。給水ホース１４は、スペーサ４２に接続された状態で、後述する本体カバー取付け基部６２にも接続され、本体カバー４６内で吐水口部２８に接続されている。
【００３４】
本体カバー４６は、吐水口形成部３８、外筒４０、スペーサ４２及び後述する本体カバー取付け基部６２を内部に収容して一体の吐水口部２８を形成している。
【００３５】
次に、本発明の一実施形態による水栓装置の吐水方向変更機構５４について、図２乃至図８等により説明する。
図６は図４のＶＩ−ＶＩ線に沿って見た断面図であり、図７は本発明の一実施形態による水栓装置について、吐水口部が引上げられ、吐水部が第２吐水姿勢をとっている状態を示す概略断面図であり、図８は本発明の一実施形態による水栓装置について、吐水口部が引上げられ、吐水部が第３吐水姿勢をとっている状態を示す概略断面図である。
【００３６】
取付基部１２から着脱可能に形成される吐水部１６は、吐水の方向を変更するように吐水口部２８の向きを変える吐水方向変更機構５４を有している。吐水方向変更機構５４は、取付基部１２の延びる向きに対して吐水口部２８の向き及び吐水角度を段階的に調節可能に形成されている。本実施形態においては、吐水方向変更機構５４は、少なくともホースガイド３０と、可動部本体３２と、により形成されている。
【００３７】
ホースガイド３０は、給水ホース１４を中に通して内側に配置するように形成されている。ホースガイド３０は、給水ホース１４の径よりも大きな内部空間を形成している。ホースガイド３０は、取付基部側に設けられた円筒形状を有する円筒基部４８と、吐水口側に延びる両側面を備えたガイド部５０と、ホースガイド３０の両側面に横向きに突出するように取付けられたヒンジ部５２を備えている。
【００３８】
ホースガイド３０のガイド部５０は、その両側の外側の側面上に半球形状の第１凹面（窪み面）５０ａが複数形成されている。第１凹面５０ａは縦方向に３つ並んで形成されている。第１凹面５０ａは、後述する第１小球３６と嵌合することにより、第１小球３６が第１凹面５０ａからずれて移動しにくくなるような程度（凹面内に嵌合した状態のまま維持される程度）の嵌合状態を形成するようになっている。
第１凹面５０ａは概ね半球形状に形成されているが、例えば、半球形状に近い形状、球を半分よりもずれた位置の面で切り取った場合の一方の部分的な球形状、球ではない溝部の形状、他の凹み形状等によって形成されていてもよい。また、第１凹面５０ａはホースガイド３０の中心軸線に対して左右対称に形成され、一方のガイド部５０の凹面と、他方側のガイド部５０の凹面とが左右対称に形成されている。また、第１凹面５０ａの位置及び数は変更可能であり、第１吐水姿勢において、第１小球３６と嵌合する第１凹面５０ａを、複数の第１凹面５０ａのうちのいずれの第１凹面５０ａとするかについても変更可能である。
【００３９】
ホースガイド３０のヒンジ部５２は、ホースガイド３０の両側面を形成するガイド部５０の取付基部側において側方に突出するように形成されている。ヒンジ部５２は、円柱形状を有する軸部分が側方に向かって突出するように形成されている。ヒンジ部５２は、給水ホース１４の両側のホースガイド３０の外側の部分から外方に突出するように形成されている。ヒンジ部５２は、給水ホース１４の横断方向において対称に配置されている。従って、２つのヒンジ部５２の中心軸線Ａ１は同一となるようになっており、ホースガイド３０内に給水ホース１４が配置されている状態で、この中心軸線Ａ１は、給水ホース１４の中心軸線Ａ２に対して直交するようになっている。また、同様の状態で、この中心軸線Ａ１は、取付基部１２の中心軸線Ａ３に対しても直交するようになっている。２つの対称に配置されたヒンジ部５２が可動部本体３２の環状部５８と係合するため、応力の集中を防ぎ、破損のリスクを低減し、ホースガイド３０及び可動部本体３２の耐久性と信頼性を向上させている。
【００４０】
可動部本体３２は、ホースガイド３０の両側面の外側において可動するようになっている。
可動部本体３２は、取付基部側に延びる両腕を形成する腕部５６と、腕部５６の先端側（取付基部側）において環状に形成された環状部５８と、腕部５６の基部側（吐水口側）に接続され且つ下向きに開口するコの字形状に形成された覆い部６０と、覆い部６０の吐水口側に接続され且つ本体カバー４６を取付けるようになっている本体カバー取付け基部６２と、を備えている。
【００４１】
可動部本体３２の腕部５６は、給水ホース１４の外側において、給水ホース１４及びガイド部５０とほぼ平行に延びることができるように形成されている。可動部本体３２の環状部５８は、その内部に円柱形のヒンジ部５２を嵌合することにより、ヒンジ部５２を中心に回動できるようになっている。環状部５８は、給水ホース１４の外周の外側において、給水ホース１４の横断方向に対称に配置されている。なお、ヒンジ部５２を環状部５８内に取付けた状態において、環状部５８の中心軸線Ａ１はヒンジ部５２の中心軸線Ａ１と共通となっている。よって、環状部５８の回動により、可動部本体３２の覆い部６０が給水ホース１４の側面近傍の位置から、給水ホース１４からさらに離間するような位置まで、中心軸線Ａ１を中心として離れるように回動することができる。
【００４２】
可動部本体３２の覆い部６０は、そのコの字形状の両側における側面を、それぞれ貫通するように形成された第１孔部６４を形成している。第１孔部６４は、第１小球３６よりもわずかに大きな大きさ又はほぼ同じ大きさの形状の開口の大きさに形成されている。よって、第１孔部６４は、第１小球３６を内部に配置することができる。図６に示すように、覆い部６０は、その断面における第１孔部６４近傍の厚みＤ１が、第１小球３６の直径Ｄ２よりも小さくなるように形成されている。また、覆い部６０の外側には、第１小球３６が外側に移動できないように板ばね３４が設けられている。よって、第１孔部６４内に第１小球３６を配置した場合に、第１小球３６の一部、例えば第１小球３６の３分の１近くの部分又は第１小球３６の２分の１近くの部分、が覆い部６０の内側方向（内部方向）に向かって突出するように配置されるようになっている。
【００４３】
板ばね３４は、下向きに開口するコの字形状に形成されている。板ばね３４は、覆い部６０の第１孔部６４の外側を覆うように取付けられる。板ばね３４は、可動部本体３２の両側面を挟み込むように取付けられる。板ばね３４は、第１孔部６４の外側を覆うように取付けられた状態で、板ばね３４の弾性力により、それぞれの第１小球３６をそれぞれの第１凹面５０ａに向かって（給水ホース１４の配置されている内側方向に向かって）押し付けるようになっている。
このように板ばね３４の弾性力が内側に向かって作用していることにより、第１小球３６が第１凹面５０ａの位置に合致して嵌まりこむ際に、第１小球３６が第１凹面５０ａに嵌まる衝撃（クリック感）を生じさせることができる。このような衝撃が使用者の手指に伝わり、所定の位置に可動部本体３２及び第１小球３６が回動されたことを確実に使用者に認識させることができる。
【００４４】
なお、本実施形態においては、第１孔部６４の内部に配置された第１小球３６と第１凹面５０ａとが嵌合することによって、吐水口部の姿勢を保持し、さらに、使用者にクリック感を生じさせているが、変形例として、覆い部６０の第１孔部６４を省略し、代わりに覆い部６０の第１孔部６４の位置に内側向きに突出する突出部（例えば半球状、四角形状等の突出部等）を形成するようにしてもよい。この場合は、この突出部を第１凹面５０ａと嵌合させることにより、吐水口部２８の姿勢を保持し、さらに、使用者にクリック感を生じさせることができる。
【００４５】
本体カバー取付け基部６２は、その内側に可動部本体３２が取付けられ、さらにその内側に給水ホース１４が挿入されて取付けられている。本体カバー取付け基部６２は、本体カバー４６の円筒形状の入口部に挿入されるようにして嵌合され、取付けられている。よって、可動部本体３２の回動動作が、本体カバー取付け基部６２を介して本体カバー４６に伝達され、吐水口部２８全体が可動部本体３２の回動動作に合わせて回動動作できるようになっている。可動部本体３２の回動動作と連動して、吐水口部２８内の流路の向き及び吐水口形成部３８の吐水の向きが、方向を変更するような回動動作をすることとなる。
上述のような構成に基づいて、吐水部１６の吐水方向変更機構５４及び吐水口部姿勢保持機構６６は、取付基部１２の中心軸線Ａ３に直交する方向の回転軸（中心軸線Ａ１）を中心に回動するように形成され、吐水口部２８から吐水される湯水の洗面ボウル４への着水位置（到達位置）を変えられる。
また、上述のような構成に基づいて、吐水部１６の吐水方向変更機構５４及び吐水口部姿勢保持機構６６は、可動部本体３２の回動動作が、複数の吐水姿勢を可能とする回動停止位置を有するような多段階の回動動作を行えるように形成されている。より具体的には、可動部本体３２の回動動作において、図６に示すような、第１小球３６が位置Ｂ１における第１凹面５０ａと嵌合している状態から、第１小球３６を上昇させる場合に、第１小球３６が位置Ｂ２における第１凹面５０ａと嵌合する場合には、一旦回動動作が停止され、回動動作を再開させて、第１小球３６をさらに上昇させる場合においても、第１小球３６が位置Ｂ３における第１凹面５０ａと嵌合する場合には、一旦回動動作が停止される。可動部本体３２の回動動作において、逆に、第１小球３６を下降させる場合においても同様である。可動部本体３２の回動動作において、第１小球３６が第１凹面５０ａと嵌合する状態を作ることにより、無段階の回動動作ではなく、多段階の回動動作を実現している。多段階の回動動作を行えることにより、吐水口部２８を複数の回動停止位置において所定の姿勢で保持することができる。また、多段階の回動動作を行えることにより、吐水口部２８が自重により下方に向きを変えること、又は吐水する湯水の水圧の反動により吐水口部２８が上方に向きを変えることを抑制することができる。仮に、吐水口部２８が自重により下方に向きを変えようとし、又は吐水する湯水の水圧の反動により吐水口部２８が上方に向きを変えようとする場合においても、これを複数の回動停止位置において停止させることができる。
【００４６】
次に、吐水部１６は、さらに、吐水方向変更機構５４により変更できる複数の吐水方向に、吐水口部２８を向けた吐水姿勢を保持する吐水口部姿勢保持機構６６を有している。
吐水口部姿勢保持機構６６は、少なくともホースガイド３０と、可動部本体３２と、第１小球３６と、により形成されている。
【００４７】
第１凹面５０ａは、第１小球３６と嵌合することにより、第１小球３６が吐水部の自重及び/又は他の外力によって凹面からずれて移動しにくくなるような程度（凹面内に嵌合した状態のまま維持される程度）の嵌合状態（引っ掛り状態）を形成するようになっている。
また、第１凹面５０ａと第１小球３６との嵌合状態は、使用者が吐水部１６に力を加えた場合には、第１小球３６が凹面からずれて移動できる（凹面から離脱して移動できる）程度の嵌合状態ともなっている。また、第１凹面５０ａと第１小球３６とが嵌合していない状態から、使用者が吐水部１６に力を加えることにより、第１凹面５０ａと第１小球３６との位置を合わせるように移動すれば、第１小球３６が第１凹面５０ａ内に移動できる（凹面内に着座して比較的安定的に位置決めできる）ようになっている。
【００４８】
図６に示すように、可動部本体３２の覆い部６０は、ホースガイド３０のガイド部５０と、第１小球３６を介して嵌合するようになっている。
このような構成により、使用者は、使用者が吐水部１６に力を加えて回動する場合には、第１小球３６を第１凹面５０ａ内に嵌合した状態と、第１小球３６を第１凹面５０ａ外に嵌合を解除して移動させる状態と、を自在に変更することができる。
このような構成により、また、使用者が吐水部１６に力を加えて回動していない場合には、吐水部１６の自重等により生じるモーメントによって、第１小球３６が第１凹面５０ａから離脱して、嵌合が解除され、移動されることを抑制することができる。すなわち、第１小球３６が第１凹面５０ａ内に嵌合された状態で留まっており、吐水部１６の吐水口部２８の傾きの姿勢が、第１小球３６が第１凹面５０ａ内に嵌合している傾きの位置で、維持されることとなる。
【００４９】
使用者は、吐水部１６の可動部本体３２に取付けられている第１小球３６を第１凹面５０ａ内に移動して嵌合する場合、嵌合することによるわずかな振動、音、嵌合した状態となるとさらなる移動がしにくくなるという反力等を感じることができる。使用者は、これらの少なくとも一部をクリック感として認識することができ、第１小球３６が第１凹面５０ａ内に嵌合した状態となったことを認識することができる。
また、使用者は、吐水部１６の可動部本体３２に取付けられている第１小球３６を第１凹面５０ａから外側に移動して嵌合を解除する場合、嵌合を解除することによるわずかな振動、音、嵌合を解除しようとすると移動がしにくく比較的強い反力を受けるものの、嵌合を解除した状態になると急にさらなる移動がしやすくなり反力が減少するという反力の変化等を感じることができる。使用者は、これらの少なくとも１部をクリック感として認識することができ、第１小球３６が第１凹面５０ａから嵌合を解除した状態となったことを認識することができる。
【００５０】
本実施形態においては、少なくともホースガイド３０と、可動部本体３２と、本体カバー取付け基部６２とが、可動部と基部との間に設けられ、可動部を可動させる関節部を構成している。なお、関節部は、可動部を可動させるための他の部材を含む又は上記部材の一部を含まない構成により構成されていてもよい。なお、可動部は、吐水口部２８に相当し、関節部は、概ね、吐水方向変更機構５４及び吐水口部姿勢保持機構６６に相当するため、構造及び動作の詳細な説明について、吐水方向変更機構５４及び吐水口部姿勢保持機構６６等の説明で記載されている部分についてはこれらの説明を参照して、可動部及び関節部の説明を省略する。
【００５１】
関節部は、水栓装置６の壁面パネル８から突出している部分の途中の部分から屈曲できるような関節を形成している。関節部は、通水部材（給水ホース１４）に直交する中心軸線Ａ１（回転軸）を中心に回動するように形成され、関節部の内側において、通水部材が関節部とは別体として配置されている。
本実施形態における関節部について、より具体的に説明すると、関節部は、給水ホース１４（通水部材）を内側に配置し且つ両側の外側面に形成された複数の第１凹面５０ａ（ガイド凹部）を有しているホースガイド３０と、ホースガイド３０の両側面の外側において可動する可動部本体３２と、可動部本体３２の両側面の第１孔部６４内に取付けられる第１小球３６と、可動部本体３２の両側面を挟み込むように取付けられる板ばね３４と、を備えている。
【００５２】
また、関節部は、通水部材（給水ホース１４）の両側に配置され、関節部（ホースガイド３０）の外側の部分からそれぞれ外方に突出するヒンジ部５２と、先端側が可動部（吐水口部２８）と連結され、ヒンジ部５２を中心に回動するようにヒンジ部５２に取付けられる腕機構部（可動部本体３２）と、を備えている。
本実施形態においては、腕機構部は、腕部５６と、環状部５８と、覆い部６０と、本体カバー取付け基部６２とを有するようになっている。腕機構部は、先端側が可動部と連結され、可動部を関節部に対して回動させることができる。
【００５３】
本実施形態においては、関節部は、可動部の姿勢を保持できる複数の回動停止位置を有する姿勢保持機構を備え、姿勢保持機構は、複数の回動停止位置で、関節部の回動動作を、段階的に停止させることができるように構成されている。姿勢保持機構は、吐水口部姿勢保持機構６６に相当する。
このような構造により、姿勢保持機構は、板ばね３４が第１小球３６をホースガイド３０の凹部に押し付けるように形成されている。
【００５４】
次に、本発明の一実施形態による水栓装置の傾き調整機構６８を、図３乃至図１０等により、説明する。
図９は本発明の一実施形態による水栓装置について、吐水口部が左向きに傾けられた第２傾き姿勢をとっている状態を下方から見た概略図であり、図１０は本発明の一実施形態による水栓装置について、吐水口部が右向きに傾けられた第３傾き姿勢をとっている状態を下方から見た概略図である。
【００５５】
次に、吐水部１６は、取付基部１２の中心軸線Ａ３を中心として吐水口部２８の左右方向の傾きを調整することができるように構成されている傾き調整機構６８を少なくとも一部形成している。傾き調整機構６８は、少なくともホースガイド３０と、取付基部１２と、第２小球７４と、により形成されている。
傾き調整機構６８は、吐水部１６を取付基部１２に傾けた状態で挿入することにより、吐水部１６の左右方向の傾きを調整することができるように構成されている。
また、傾き調整機構６８は、吐水部１６を取付基部１２に取付けた状態から吐水部１６の左右方向の傾きを調整することができるように構成されている。
ここで、吐水部１６の左右方向の傾きとは、正面から見て、吐水口部２８が真下に向かう向きに向けられている状態且つ吐水部１６を取付基部１２に取付けた状態から、吐水部１６を左右方向に回転した場合の傾きをいい、吐水口部２８が真下に向かう向きに向けられている状態のまま左右方向に回転していない状態の傾きも含む傾きをいう。
【００５６】
取付基部１２の円筒取付基部２０の径は、ホースガイド３０の円筒基部４８の径よりもわずかに大きく形成されている。従って、ホースガイド３０の円筒基部４８を取付基部１２の円筒取付基部２０内に挿入する際に、さまざまな角度の傾きで挿入することができる。また、ホースガイド３０の円筒基部４８を取付基部１２の円筒取付基部２０内に挿入した状態で、ホースガイド３０を取付基部１２に対して相対的に回転することができる。
【００５７】
取付基部１２の円筒取付基部２０は、その上部に、外側から内側まで貫通するように形成された第２孔部７２を形成している。第２孔部７２は、第２小球７４よりもわずかに大きな大きさ又はほぼ同じ大きさの形状の開口の大きさに形成されている。よって、第２孔部７２は、第２小球７４を内部に配置することができる。
図４に示すように、円筒取付基部２０は、その上部の断面における第２孔部７２近傍の厚みＤ３が、第２小球７４の直径Ｄ４よりも小さくなるように形成されている。また、円筒取付基部２０の外側には、第２小球７４が外側に移動できないように円筒取付基部外側プレート７６が設けられている。よって、第２孔部７２内に第２小球７４を配置した場合に、第２小球７４の一部、例えば第２小球７４の３分の１近くの部分又は第２小球７４の２分の１近くの部分、が円筒取付基部２０の内側方向（内部方向）に向かって突出するように配置されるようになっている。
【００５８】
ホースガイド３０の円筒基部４８は、その外側の上部に半球形状の第２凹面（窪み面）４８ａが複数形成されている。第２凹面４８ａは横方向（左右方向）に３つ並んで形成されている。第２凹面４８ａの数は２つ以上の他の数に変更されることもできる。
第２凹面４８ａは概ね半球形状に形成されているが、例えば、半球形状に近い形状、球を半分よりもずれた位置の面で切り取った場合の一方の部分的な球形状、球ではない溝部の形状、他の凹み形状等によって形成されていてもよい。また、第２凹面４８ａはホースガイドの長手方向の中心軸線に対して左右対称に形成され、配置されている。
【００５９】
第２凹面４８ａは、第２小球７４と嵌合することにより、第２小球７４が吐水部１６の自重及び/又は他の外力を受けて第２凹面４８ａからずれて移動しにくくなるような程度（第２小球７４が凹面内に嵌合した状態のまま維持される程度）の嵌合状態を形成するようになっている。
また、第２凹面４８ａと第２小球７４との嵌合状態は、使用者が吐水部１６に力を加えた場合には、第２小球７４が第２凹面４８ａからずれて移動できる（第２小球７４が凹面から離脱して移動できる）程度の嵌合状態ともなっている。また、第２凹面４８ａと第２小球７４とが嵌合していない状態から、使用者が吐水部１６に力を加えることにより、第２凹面４８ａと第２小球７４との位置を合わせるように移動すれば、第２小球７４が第２凹面４８ａ内に移動できる（凹面内に着座して比較的安定的に位置決めできる）ようになっている。
【００６０】
後述するようにホースガイド３０の円筒基部４８は、取付基部１２の円筒取付基部２０と、第２小球７４を介して嵌合するようになっている。このような構成により、使用者は、使用者が吐水部１６に力を加えて回動する場合には、第２小球７４を第２凹面４８ａ内に嵌合した状態と、第２小球７４を第２凹面４８ａ外に嵌合を解除して移動させる状態と、を自在に変更することができる。
このような構成により、また、吐水部１６が傾き方向に力を受けて、第２小球７４が第２凹面４８ａから離脱して、嵌合が解除され、移動されることを抑制することができる。すなわち、第２小球７４が第２凹面４８ａ内に嵌合された状態で留まっており、吐水部１６の傾き及び吐水口部２８の傾きの姿勢が、第２小球７４が第２凹面４８ａ内に嵌合している傾きの位置で、維持されることとなる。
【００６１】
次に、本発明の一実施形態による水栓装置の規制部８２を、図３乃至図１２等により、説明する。
図１１は本発明の一実施形態による水栓装置について、吐水部を取付基部に取付けた状態において、吐水部の下方から規制部を見た概略図であり、図１２は本発明の一実施形態による水栓装置について、吐水部を取付基部に取付けた状態において、吐水部の下方から規制部を見た概略図である。
【００６２】
次に、水栓装置６の吐水部１６は、さらに、吐水部１６を取付基部１２に取付けることができる挿入位置を、所定の位置に規制する規制部８２を少なくとも一部形成している。規制部８２は、少なくともホースガイド３０と、取付基部１２により形成されている。より具体的には、規制部８２は、ホースガイド３０の下側の外周面に形成された凹部８４と、取付基部１２の円筒取付基部２０の下部から中心軸線Ａ３と平行な向きに立ち上がるように形成された突出部８６と、を備えている。
【００６３】
図４、図１２及び図１３等に示すように、円筒取付基部２０の突出部８６の先端を凹部８４内に挿入している状態で、吐水部１６を取付基部１２に取付けることができる。逆に、円筒取付基部２０の突出部８６が凹部８４以外の部分において取付けられないようになっている。従って、規制部８２は、吐水部１６を取付基部１２に取付けることができる挿入位置を、所定の位置及び所定の角度範囲に規制している挿入規制部を形成している。例えば、吐水部１６は、図９及び図１０等に示すような左右方向に傾けられた状態において、傾けた状態のまま取付基部１２に挿入されることができる。従って、使用者が、吐水部１６を厳密に上下方向を合わせた状態で取付基部１２に挿入する必要をなくすことができる。また、使用者が、引き出されている吐水部１６を、使用したい向きに傾けた状態で、取付基部１２に挿入して、固定することができる。
ここで、規制部８２は、吐水部１６を取付基部１２に取付けることができる挿入位置を、所定の位置に規制している挿入規制部を形成している。
従って、使用者は、突出部８６が凹部８４内に収まる位置の範囲内に吐水部１６の傾きを変更した状態で、吐水部１６を取付基部１２に取付けることができる。逆に、使用者が、突出部８６を凹部８４外に位置するような傾きを有している状態で、吐水部１６を取付基部１２に取付けることができないようになっている。従って、使用者が引き出された吐水部１６を取付基部１２に戻す場合においても、吐水部１６を取付基部１２に戻すことができる傾きの範囲を規制するようにしている。よって、吐水部１６を取付基部１２に取付けた状態において吐水部１６及び吐水口部２８の向きの範囲を使用者が使用しやすいと想定されるような向きの範囲（例えば吐水口部２８から吐水された湯水が、使用者が使用すると想定される洗面ボウル４上のいずれかの部分に着水されるような吐水口部２８の向きの範囲）に規制することができる。
【００６４】
次に、規制部８２は、傾き調整機構において、吐水部１６を取付基部１２に取付けた状態から、吐水部１６の左右方向の傾きを調整する範囲を、所定の範囲に規制する傾き規制部としても形成されている。
図４に示すように、吐水部１６を取付基部１２に取付けた状態の第１傾き姿勢において、第２小球７４は、位置Ｃ２における第２凹面４８ａと嵌合されており、円筒取付基部２０の突出部８６が凹部８４内のほぼ中央に位置している。
この第１傾き姿勢から、使用者が吐水部１６を時計回りに回転させるように力を加えることにより、円筒取付基部２０の第２孔部７２内に配置された第２小球７４を、位置Ｃ１における第２凹面４８ａ内に移動させることができる。このとき、吐水部１６は、図９に示すような、第２傾き姿勢をとる。このとき、吐水部１６のホースガイド３０の凹部８４は、突出部８６に対して相対的に回転され、凹部８４の第１端部８４ａが突出部８６に当接される。従って、ホースガイド３０は、突出部８６に対してこれ以上時計回りの回動をしないように、回動範囲が規制される。
逆に、この第１傾き姿勢から、使用者が吐水部１６を反時計回りに回転させるように力を加えることにより、円筒取付基部２０の第２孔部７２内に配置された第２小球７４を、位置Ｃ３における第２凹面４８ａ内に移動させることができる。このとき、吐水部１６は、図１０に示すような、第３傾き姿勢をとる。このとき、吐水部１６のホースガイド３０の凹部８４は、突出部８６に対して相対的に回転され、凹部８４の第２端部８４ｂが突出部８６に当接される。従って、ホースガイド３０は、突出部８６に対してこれ以上反時計回りの回動をしないように、回動範囲が規制される。
【００６５】
規制部８２は、吐水部１６のホースガイド３０の回動範囲を突出部８６に対して凹部８４が移動できる範囲内に規制している。このようにして、規制部８２は、吐水部１６を取付基部１２に取付けた状態から、吐水部１６の左右方向の傾きを調整する範囲を、所定の範囲に規制する。よって、吐水部１６を取付基部１２に取付けた状態において吐水部１６及び吐水口部２８の左右方向の傾きの範囲を使用者が使用しやすいと想定されるような傾きの範囲（例えば吐水口部２８から吐水された湯水が、使用者が使用すると想定される洗面ボウル４上のいずれかの部分に着水されるような吐水部１６及び吐水口部２８の傾きの範囲）に規制することができる。
【００６６】
次に、図４、及び図５等に示すように、本発明の一実施形態による水栓装置の吐水部の引き出し機構の動作を説明する。
図４等に示すような、吐水部１６を取付基部１２に取付けた状態（挿入した状態）から、使用者は吐水部１６を引き出して使用することができる。
図５等に示すように、使用者が、吐水部１６を取付基部１２から引き出すとき、吐水部１６の取付側部分１６ａのホースガイド３０の第２凹面４８ａと、円筒取付基部２０の第２孔部７２内に配置された第２小球７４と、の嵌合状態が、解除され、ホースガイド３０が円筒取付基部２０から離間される。このとき、吐水部１６の取付側部分１６ａのホースガイド３０が、吐水口部２８とともに取付基部１２から離脱される。使用者が、吐水口部２８及び吐水部１６の取付側部分１６ａを引き出すにつれて、給水ホース１４が壁面パネル８内の収納位置から引き出される。よって、使用者は、吐水口部２８を手元で様々な方向に向けて自由に変更することができる。
【００６７】
図４等に示すような、吐水部１６を取付基部１２に取付けた状態（挿入した状態）に戻そうとする際には、使用者は吐水部１６の取付側部分１６ａを取付基部１２に挿入させる。より具体的には、ホースガイド３０を円筒取付基部２０内に挿入させ、取付側部分１６ａのホースガイド３０の第２凹面４８ａと、円筒取付基部２０の第２孔部７２内に配置された第２小球７４と、が嵌合状態となるまで押し込む。
よって、図４等に示すように、使用者が、吐水部１６を取付基部１２に取付けた状態においては、吐水部１６の取付側部分１６ａのホースガイド３０の第２凹面４８ａと、円筒取付基部２０の第２孔部７２内に配置された第２小球７４と、が嵌合している嵌合状態となる。吐水部１６が取付基部１２に取付けられた状態においては、吐水部１６の取付側部分１６ａが壁面パネル８に安定的に固定された状態となっている。
【００６８】
図４等に示すような、吐水部１６を取付基部１２に取付けた状態（挿入した状態）に戻そうとするとき、取付基部１２の位置及び向きは変わらないので、吐水口部の向きを変えている場合にも、同じ取付基部１２の位置に対して、吐水部１６を自在に着脱することができる。
より具体的には、吐水部１６の吐水方向変更機構５４及び吐水口部姿勢保持機構６６がどの吐水姿勢をとっている状態においても、吐水口部２８の向きにかかわらず、同じ取付基部１２の位置に対して、吐水部１６を自在に着脱することができる。
また、傾き調整機構６８及び傾き姿勢保持機構８０がどの傾き姿勢をとっている状態又はどの傾き姿勢をとらせようとしている状態においても、同じ取付基部１２の位置に対して、吐水部１６を自在に着脱することができる。
【００６９】
次に、図４、図７及び図８に示すように、本発明の一実施形態による水栓装置の吐水部の吐水方向変更機構の動作を説明する。
まず、図４に示すように、吐水部１６は、取付基部１２に取り付けられた第１吐水姿勢となっている。
このとき、吐水口部２８の取付基部側部分２８ａは、取付基部１２から前方側にほぼ水平に延びており、吐水部１６は第１吐水姿勢となっている。このとき、取付基部側部分２８ａの中心軸線Ａ４は、取付基部１２の中心軸線Ａ３と同一に重なるように配置される。取付基部側部分２８ａの中心軸線Ａ４は、本体カバー取付け基部６２や、給水ホース１４の中心軸線にもなっている。この第１取付状態において、給水ホース１４はほぼ直線状に延び、吐水口部２８の取付基部側部分２８ａまでほぼ直線状の流路を形成している。
【００７０】
図６に示すように、第１吐水姿勢における吐水方向変更機構５４において、ホースガイド３０の最も下部の位置Ｂ１に位置している第１凹面５０ａと、可動部本体３２に取付けられている第１小球３６とが、嵌合した状態となっている。従って、可動部本体３２と、ホースガイド３０とはほぼ同じ向きに横向きに延び、可動部本体３２の腕部５６は、ホースガイド３０のガイド部５０とほぼ平行な向きに延びている。このとき、吐水口部２８内の流路の向き及び吐水口形成部３８の吐水方向が、吐水口部２８の先端側部分２８ｂの中心軸線Ａ５の方向に設定される。
【００７１】
次に、図７に示すように、使用者が、吐水口部２８に上方向きの力を作用させて、吐水口部２８を第１吐水姿勢から上昇させるように移動させて第２吐水姿勢とすることができる。このとき、吐水部１６の取付側部分１６ａは、取付基部１２に取り付けられた状態で移動しない。よって、吐水部１６の取付側部分１６ａに対して、吐水口部２８が首を持ち上げるように相対的に上昇するようになっている。
このとき、吐水口部２８の取付基部側部分２８ａは、取付側部分１６ａから水平よりもやや上方に向かって延びており、第２吐水姿勢となっている。
このとき、取付基部側部分２８ａの中心軸線Ａ６は、取付基部１２の中心軸線Ａ３よりも前方側が上方に向けられている。よって、この第２吐水姿勢において、給水ホース１４は緩やかに屈曲しながら前方側が上方に向かって延びている。
【００７２】
図７に示すような第２吐水姿勢においては、吐水方向変更機構５４のホースガイド３０の第１吐水姿勢状態における第１凹面５０ａよりも一つ上の位置Ｂ２に位置している第１凹面５０ａと、可動部本体３２に取付けられている第１小球３６とが、嵌合した状態となっている。従って、可動部本体３２は、ホースガイド３０の向きよりもやや上方に向かって傾いた状態となっている。可動部本体３２の腕部５６は、ホースガイド３０のガイド部５０に対してやや上方に向かって傾いた状態となっている。従って、吐水口部２８が、やや上方に引き上げられたような第２吐水姿勢状態を形成している。
可動部本体３２がヒンジ部５２を中心に回動するように移動するので、取付基部１２の中心軸線Ａ３に対して直交する中心軸線Ａ１を中心として、 吐水口部２８が取付側部分１６ａに対して、折れ曲がることができる。
【００７３】
このとき、吐水口部２８内の流路の向き及び吐水口形成部３８の吐水方向が、吐水口部２８の先端側部分２８ｂの中心軸線Ａ７の方向に設定される。吐水口部２８の先端側部分２８ｂの中心軸線Ａ７は、第１吐水姿勢の先端側部分２８ｂの中心軸線Ａ５よりも前方側に向けられている。
第２吐水姿勢において、中心軸線Ａ３に対して中心軸線Ａ７の成す角度は、中心軸線Ａ３に対して中心軸線Ａ５の成す角度よりも大きくなっている。
よって、湯水が第２吐水姿勢の吐水口部２８から吐水される吐水方向は、第１吐水姿勢の吐水口部２８から吐水される吐水方向よりも前方側に吐水される方向であり、湯水が洗面ボウル４内においてボウル面に着水する位置も前方側に変更されている。
【００７４】
また、図８に示すように、使用者が、吐水口部２８に上方向きの力を作用させて、吐水口部２８を第２吐水姿勢からさらに上昇させるように移動させて第３吐水姿勢とすることができる。このとき、吐水部１６の取付側部分１６ａは、取付基部１２に取り付けられた状態で移動しない。よって、吐水部１６の取付側部分１６ａに対して、吐水口部２８がさらに首を持ち上げるように相対的に上昇するようになっている。このとき、吐水口部２８の取付基部側部分２８ａは、取付側部分１６ａから水平よりもやや上方に向かって延びており、第３吐水姿勢となっている。
取付基部側部分２８ａの中心軸線Ａ８は、取付基部１２の中心軸線Ａ３よりも前方側が上方に向けられている。第３吐水姿勢の取付基部側部分２８ａの中心軸線Ａ８は、第２吐水姿勢の中心軸線Ａ６よりも、前方側（先端側）がさらに上昇するような傾きを有している。この第３吐水姿勢において、給水ホース１４は緩やかに屈曲しながら前方側が上方に向かって延びている。
【００７５】
図８に示すような第３吐水姿勢においては、吐水方向変更機構５４のホースガイド３０の第２吐水姿勢状態における第１凹面５０ａよりも一つ上の位置Ｂ３に位置している第１凹面５０ａと、可動部本体３２に取付けられている第１小球３６とが、嵌合した状態となっている。従って、可動部本体３２は、ホースガイド３０の向きよりもやや上方に向かって傾いた状態となっている。可動部本体３２の腕部５６は、ホースガイド３０のガイド部５０に対してやや上方に向かって傾いた状態となっている。従って、吐水口部２８が、やや上方に引き上げられたような第３吐水姿勢を形成している。
このとき、吐水口部２８内の流路の向き及び吐水口形成部３８の吐水方向が、吐水口部２８の先端側部分２８ｂの中心軸線Ａ９の方向に設定される。吐水口部２８の先端側部分２８ｂの中心軸線Ａ９は、第２吐水姿勢の先端側部分２８ｂの中心軸線Ａ７よりも前方側に向けられている。
第３吐水姿勢において、中心軸線Ａ３に対して中心軸線Ａ９の成す角度は、中心軸線Ａ３に対して中心軸線Ａ７の成す角度よりも大きくなっている。よって、第３吐水姿勢の吐水口部２８から吐水される湯水の吐水方向は、第２吐水姿勢の吐水口部２８から吐水される吐水方向よりも前方側に吐水される方向であり、第３吐水姿勢においては、湯水が洗面ボウル４内においてボウル面に着水する位置もより前方側に変更されている。
【００７６】
図５に示すように、本実施形態の吐水部１６は、取付基部１２から引出した状態で使用することができるようになっている。吐水部１６を引き出した状態においても、吐水部１６は、吐水口部２８を取付側部分１６ａに対して回動させることができ、吐水口部２８の吐水方向を変更することが可能である。すなわち、吐水部１６を引き出した状態において、吐水口部２８は、取付側部分１６ａに対して第１吐水姿勢、第２吐水姿勢及び第３吐水姿勢をとることができる。よって、使用の状態に応じて、可動部の吐水口から吐水される湯水の着水位置をより自由に変えることができ、使い勝手のよい水栓装置を提供することができる。例えば、使用者が洗髪をするときには吐水口部を比較的高い高さに配置して壁面から離れた位置に着水させ、使用者が手洗い等をするときには吐水口部を比較的低い高さの位置に配置して壁面から比較的近い位置に着水させることができる。
【００７７】
次に、図４、図６乃至図８に示すように、本発明の一実施形態による水栓装置の吐水部の吐水口部姿勢保持機構の動作を説明する。
図６に示すように、第１吐水姿勢において、吐水口部姿勢保持機構６６は、第１小球３６が位置Ｂ１における第１凹面５０ａと嵌合状態を形成するようになっている。第１小球３６は、第１凹面５０ａと嵌合することにより、第１小球３６が吐水部の自重及び/又は他の外力によって凹面からずれて移動しにくくなっている。別の言い方によれば、使用者が第１小球３６を位置Ｂ１における第１凹面５０ａから外れるように移動させるためには、第１小球３６が第１凹面５０ａの凹み部分の縁を乗り越えて移動できる程度の比較的強い力を、使用者が吐水口部２８に作用させる必要がある。よって、可動部本体３２がホースガイド３０に対して所定の位置に保持された状態（停止された状態）とでき、吐水口部２８が、吐水部１６の取付側部分１６ａに対して所定の位置に保持された状態（停止された状態）とされる。このように、吐水口部姿勢保持機構６６は、吐水口部２８の第１吐水姿勢を維持し、第１吐水姿勢における吐水方向を中心軸線Ａ５の方向に維持することができる。
【００７８】
図６に示すような第１吐水姿勢から、使用者が吐水口部２８を上向きに引上げるように力を加えることにより、可動部本体３２の第１孔部６４内に嵌まりこんでいる第１小球３６を、位置Ｂ１における第１凹面５０ａの窪みから外れるようにして上昇させ、位置Ｂ２における第１凹面５０ａ内に移動させることができる。このとき、吐水口部２８は、図７に示すような、第２吐水姿勢をとる。
第２吐水姿勢においては、吐水口部姿勢保持機構６６は、第１小球３６が位置Ｂ２における第１凹面５０ａと嵌合状態を形成するようになっている。第１小球３６は、第１凹面５０ａと嵌合することにより、第１小球３６が吐水部の自重及び/又は他の外力によって凹面からずれて移動しにくくなっている。別の言い方によれば、使用者が第１小球３６を位置Ｂ２における第１凹面５０ａから外れるように移動させるためには、第１小球３６が第１凹面５０ａの凹み部分の縁を乗り越えて移動できる程度の比較的強い力を、使用者が吐水口部２８に作用させる必要がある。よって、可動部本体３２がホースガイド３０に対して所定の位置に保持された状態（停止された状態）とでき、吐水口部２８が、吐水部１６の取付側部分１６ａに対して所定の位置に保持された状態（停止された状態）とされる。このように、吐水口部姿勢保持機構６６は、吐水口部２８の第２吐水姿勢を維持し、第２吐水姿勢における吐水方向を中心軸線Ａ７の方向に維持することができる。
【００７９】
図７に示すような第２吐水姿勢から、使用者が吐水口部２８を上向きに引上げるように力を加えることにより、可動部本体３２の第１孔部６４内に嵌まりこんでいる第１小球３６を、位置Ｂ２における第１凹面５０ａの窪みから外れるようにして上昇させ、位置Ｂ３における第１凹面５０ａ内に移動させることができる。このとき、吐水口部２８は、図８に示すような、第３吐水姿勢をとる。
第３吐水姿勢においては、吐水口部姿勢保持機構６６は、第１小球３６が位置Ｂ３における第１凹面５０ａと嵌合状態を形成するようになっている。第１小球３６は、第１凹面５０ａと嵌合することにより、第１小球３６が吐水部の自重及び/又は他の外力によって凹面からずれて移動しにくくなっている。別の言い方によれば、使用者が第１小球３６を位置Ｂ３における第１凹面５０ａから外れるように移動させるためには、第１小球３６が第１凹面５０ａの凹み部分の縁を乗り越えて移動できる程度の比較的強い力を、使用者が吐水口部２８に作用させる必要がある。よって、可動部本体３２がホースガイド３０に対して所定の位置に保持された状態（停止された状態）とでき、吐水口部２８が、吐水部１６の取付側部分１６ａに対して所定の位置に保持された状態（停止された状態）とされる。このように、吐水口部姿勢保持機構６６は、吐水口部２８の第３吐水姿勢を維持し、第３吐水姿勢における吐水方向を中心軸線Ａ９の方向に維持することができる。従って、使用者が、吐水口部２８を取付基部１２に対して、意図した吐水姿勢に向けた状態で固定して、吐水口部２８を手指等により支え続けることなく、両手を使用して、手洗い、洗髪、洗浄、清掃等の様々な作業を行うことができる。
【００８０】
なお、図５に示すように、本実施形態の吐水部１６は、取付基部１２から引出した状態で使用することができるようになっている。吐水部１６を引き出した状態においても、引き出した吐水部１６側において、吐水口部２８を取付側部分１６ａに対して第１吐水姿勢、第２吐水姿勢及び第３吐水姿勢をとらせることができる。
吐水口部姿勢保持機構６６は、吐水口部２８の第１吐水姿勢、第２吐水姿勢及び第３吐水姿勢を維持させることができる。吐水部１６は、取付基部１２から引出されており、吐水方向が自在に変更できる状態になっているが、吐水口部２８の先端側部分２８ｂの中心軸線Ａ５、Ａ７及びＡ９を、取付側部分１６ａの中心軸線Ａ１０に対して、変更できるようになっている。取付側部分１６ａの中心軸線Ａ１０は、取付側部分１６ａを取付基部１２内に取付けた状態においては、取付基部１２の中心軸線Ａ３と一致するようになっている。よって、例えば、使用者が、取付側部分１６ａ近傍を手指等に保持している場合に、吐水口部２８の吐水方向の角度を複数の吐水方向に変更でき、且つその吐水方向の吐水姿勢を維持させることができる。
【００８１】
次に、図３、図４、図９及び図１０等に示すように、本発明の一実施形態による水栓装置の傾き調整機構６８の動作を説明する。
傾き調整機構６８は、吐水部１６を取付基部１２に取付けた状態から吐水部１６の左右方向の傾きを調整することができるように構成されている。
吐水部１６を取付基部１２に取付けた状態において、吐水部１６の取付側部分１６ａのホースガイド３０の第２凹面４８ａと、円筒取付基部２０の第２孔部７２内に配置された第２小球７４と、が嵌合した嵌合状態となっている。ここで、図４に示す第２凹面４８ａは、３つ並んだ第２凹面４８ａのうち中央の位置Ｃ２の第２凹面４８ａの断面として示されている。
【００８２】
図４に示すように、第２小球７４と位置Ｃ２の第２凹面４８ａとが嵌合している状態において、吐水部１６は、第１傾き姿勢をとっており、吐水口部２８は取付基部１２の中心軸線Ａ３から鉛直方向下向きに向けられている。
このとき、吐水口部２８内の流路の向き及び吐水口形成部３８の吐水方向が、吐水口部２８の先端側部分２８ｂの中心軸線Ａ５の方向に設定される。なお、この状態から、吐水方向変更機構５４により、第２吐水姿勢及び第３吐水姿勢に自由に吐水口部２８の吐水姿勢を変更することが可能である。
【００８３】
次に、図９に示すように、使用者が、吐水部１６に、吐水口部２８の先端側部分２８ｂが左向きに向くような力（時計回りの力）を作用させて、吐水部１６を左向きに傾けるように調整することができる。吐水口部２８の先端側部分２８ｂが左向きに傾けられた第２傾き姿勢を図９に示している。このとき、吐水部１６のホースガイド３０が、円筒取付基部２０内において回動される。吐水部１６のホースガイド３０が時計回りに回転するとき、第２小球７４が第２凹面４８ａの凹み部分の縁を乗り越えて移動され、第２小球７４を位置Ｃ２における第２凹面４８ａから外れさせる。
図４に示すような第１傾き姿勢から、使用者が吐水部１６を時計回りに回転させるように力を加えることにより、円筒取付基部２０の第２孔部７２内に配置された第２小球７４を、位置Ｃ２における第２凹面４８ａの窪みから外れるようにして横向きに移動させ、位置Ｃ１における第２凹面４８ａ内に移動させることができる。このとき、吐水部１６は、図９に示すような、第２傾き姿勢をとる。
【００８４】
また、図１０に示すように、使用者が、吐水部１６に、吐水口部２８の先端側部分２８ｂが右向きに向くような力（反時計回りの力）を作用させて、吐水部１６を右向きに傾けるように調整することができる。吐水口部２８の先端側部分２８ｂが右向きに傾けられた第３傾き姿勢を図１０に示している。このとき、吐水部１６のホースガイド３０が、円筒取付基部２０内において回動される。吐水部１６のホースガイド３０が反時計回りに回転するとき、第２小球７４が第２凹面４８ａの凹み部分の縁を乗り越えて移動され、第２小球７４を位置Ｃ２における第２凹面４８ａから外れさせる。
図４に示すような第１傾き姿勢から、使用者が吐水部１６を反時計回りに回転させるように力を加えることにより、円筒取付基部２０の第２孔部７２内に配置された第２小球７４を、位置Ｃ１における第２凹面４８ａの窪みから外れるようにして横向きに移動させ、位置Ｃ３における第２凹面４８ａ内に移動させることができる。このとき、吐水部１６は、図９に示すような、第３傾き姿勢をとる。
【００８５】
また、傾き調整機構６８は、吐水部１６を取付基部１２に傾けた状態で挿入することにより、吐水部１６の左右方向の傾きを調整することができるように構成されている。使用者は、図５に示すように、吐水部１６を取付基部１２から引き出した状態から図４等に示すような、吐水部１６を取付基部１２に取付けた状態（挿入した状態）に戻そうとする場合に、吐水部１６の取付側部分１６ａをやや傾けた状態（回転した状態）で取付基部１２に挿入することができる。
【００８６】
より具体的には、吐水口部２８を予め傾けた状態とし、その傾きを維持しながらホースガイド３０を円筒取付基部２０内に挿入させる。このとき、例えば、取付側部分１６ａのホースガイド３０の位置Ｃ１の第２凹面４８ａと、円筒取付基部２０の第２孔部７２内に配置された第２小球７４と、が嵌合状態となるまで押し込む。よって、使用者が、吐水部１６を取付基部１２に挿入した直後の状態において、位置Ｃ１の第２凹面４８ａと、第２小球７４と、が嵌合している嵌合状態となり、図９等に示すように、吐水部１６は、第２傾き姿勢をとる。また、例えば、取付側部分１６ａのホースガイド３０の位置Ｃ３の第２凹面４８ａと、円筒取付基部２０の第２孔部７２内に配置された第２小球７４と、が嵌合状態となるまで押し込む。よって、使用者が、吐水部１６を取付基部１２に挿入した直後の状態において、位置Ｃ３の第２凹面４８ａと、第２小球７４と、が嵌合している嵌合状態となり、図１０等に示すように、吐水部１６は、第３傾き姿勢をとる。
このように、傾き調整機構６８は、使用者が、意図した傾きを有する吐水部１６を取付基部１２に挿入することにより、吐水部１６の左右方向の傾きを調整し、決定することができる。変形例として、傾き調整機構６８は、予め傾けられた状態で吐水部１６を取付基部１２に挿入することにより、吐水部１６の左右方向の傾きを決定し、且つ以後動かないようにされるものも含む。このときは、傾きの調整は、吐水部１６を引き出してから挿入しなおすことにより行う必要がある。
本実施形態においては、使用の形態に応じて、吐水口部から吐水される湯水の着水位置を左右方向に変えることができる。なお、傾き調整機構６８が、吐水部１６の左右方向の傾きを調整する一方で、吐水方向変更機構５４により、独立して、自由に吐水口部２８の吐水姿勢を変更することが可能である。
【００８７】
次に、本発明の一実施形態による水栓装置の傾き姿勢保持機構８０の動作を説明する。
図３及び図４等に示すように、第１傾き姿勢において、傾き姿勢保持機構８０は、第２小球７４が位置Ｃ２における第２凹面４８ａと嵌合状態を形成するようになっている。第２小球７４は、第２凹面４８ａと嵌合することにより、第２小球７４が吐水部の自重及び/又は他の外力によって凹面からずれて移動しにくくなっている。別の言い方によれば、使用者が第２小球７４を位置Ｃ２における第２凹面４８ａから外れるように移動させるためには、第２小球７４が第２凹面４８ａの凹み部分の縁を乗り越えて移動できる程度の比較的強い力を、使用者が吐水口部２８に作用させる必要がある。
【００８８】
よって、ホースガイド３０が円筒取付基部２０に対して所定の位置に保持された状態（停止された状態）とできる。これにより、ホースガイド３０が円筒取付基部２０に対して左右の回転方向に傾きを変えるように回転してしまうことを抑制することができる。また、吐水部１６が、取付基部１２に対して所定の位置に保持された状態（停止された状態）とされる。従って、吐水口部姿勢保持機構６６は、吐水部１６が取付基部１２に対して左右の回転方向に傾きを変えるように回転してしまうことを抑制することができる。このように、吐水口部姿勢保持機構６６は、吐水部１６の第１傾き姿勢を維持し、第１傾き姿勢における吐水方向を例えば中心軸線Ａ５の方向に維持することができる。
【００８９】
次に、図３及び図９等に示すように、第２傾き姿勢において、傾き姿勢保持機構８０は、第２小球７４が位置Ｃ１における第２凹面４８ａと嵌合状態を形成するようになっている。第２小球７４は、位置Ｃ１の第２凹面４８ａと嵌合することにより、第２小球７４が吐水部の自重及び/又は他の外力によって凹面からずれて移動しにくくなっている。よって、ホースガイド３０が円筒取付基部２０に対して所定の位置に保持された状態（停止された状態）とできる。これにより、ホースガイド３０が円筒取付基部２０に対して左右の回転方向に傾きを変えるように回転してしまうことを抑制することができる。
【００９０】
吐水部１６の吐水口部２８は、取付基部１２の中心軸線Ａ３から鉛直方向下向きよりも左側の中心軸線Ａ１１の方向に傾けられている。吐水口部２８は、その先端側部分２８ｂが左側に向けられるように時計回りに回転された状態で停止されている。
傾き姿勢保持機構８０は、吐水部１６の傾きを所定の回動停止位置に維持して固定することができ、吐水部１６が取付基部１２に対して左右の回転方向に傾きを変えるように回転してしまうことを抑制することができる。傾き姿勢保持機構８０は、吐水部の傾き姿勢を保持できる複数の回動停止位置を有している。この傾き姿勢保持機構８０は、複数の回動停止位置で、傾き調整機構６８の回動傾き動作を、段階的に停止させることができるように構成されている。このように、傾き姿勢保持機構８０は、吐水部１６の第２傾き姿勢を維持し、吐水口部２８からの吐水の方向を、中心軸線Ａ５に示すような鉛直方向下方の方向よりも左側の方向の中心軸線Ａ１１の方向に設定することができる。
【００９１】
次に、図３及び図１０等に示すように、第３傾き姿勢において、傾き姿勢保持機構８０は、第２小球７４が位置Ｃ３における第２凹面４８ａと嵌合状態を形成するようになっている。第２小球７４は、位置Ｃ３の第２凹面４８ａと嵌合することにより、第２小球７４が吐水部の自重及び/又は他の外力によって凹面からずれて移動しにくくなっている。よって、ホースガイド３０が円筒取付基部２０に対して所定の位置に保持された状態（停止された状態）とできる。これにより、ホースガイド３０が円筒取付基部２０に対して左右の回転方向に傾きを変えるように回転してしまうことを抑制することができる。
吐水部１６の吐水口部２８は、取付基部１２の中心軸線Ａ３から鉛直方向下向きよりも右側の中心軸線Ａ１２の方向に傾けられている。吐水口部２８は、その先端側部分２８ｂが右側に向けられるように時計回りに回転された状態で停止されている。傾き姿勢保持機構８０は、吐水部１６の傾きを所定の位置に維持して固定することができ、吐水部１６が取付基部１２に対して左右の回転方向に傾きを変えるように回転してしまうことを抑制することができる。このように、傾き姿勢保持機構８０は、吐水部１６の第３傾き姿勢を維持し、吐水口部２８からの吐水の方向を、中心軸線Ａ５に示すような鉛直方向下方の方向よりも右側の方向の中心軸線Ａ１２の方向に設定することができる。
【００９２】
上述した本発明の一実施形態の水栓装置６によれば、通水部材が関節部の内側において関節部とは別体として配置されているので、関節部が破損したとしても、関節部と別体として配置された通水部材からの漏水を抑制することができ、水栓装置６からの漏水を抑制することができる。
【００９３】
また、本発明の一実施形態の水栓装置６によれば、通水部材の両側の外側に設けられたヒンジ部５２に、先端側に連結された可動部をヒンジ部５２を中心に回動するように、腕機構部が取付けられるので、片側でヒンジ部に腕機構部を取付けて可動部を回動させる場合と比べて、可動部を回動するためのヒンジ部５２及び腕機構部の耐久性及び信頼性を向上させることができる。従って、関節部の耐久性及び信頼性を向上させ、吐水口２６から吐水される湯水の着水位置を変えられるように可動する水栓装置の耐久性及び信頼性を向上させることができる。
また、関節部のヒンジ部５２及び腕機構部が破損した場合にも、関節部と別体として配置された通水部材からの漏水を抑制することができ、水栓装置６からの漏水を抑制することができる。
【００９４】
また、本発明の一実施形態の水栓装置６によれば、関節部は、吐水口部姿勢保持機構６６により、複数の位置で可動部の姿勢を保持できることにより、回動の際に、可動部を複数の回動停止位置において所定の姿勢で保持することができ、可動部が自重により下方に向きを変えること、又は吐水する湯水の水圧の反動により可動部が上方に向きを変えることを抑制することができる。従って、使用者が使用したい吐水姿勢で可動部の姿勢を固定することができる。
【００９５】
また、本発明の一実施形態の水栓装置６によれば、姿勢保持機構は、板ばね３４の弾性力により、板ばね３４が第１小球３６をホースガイド３０の第１凹面５０ａ（ガイド凹部）に押し付けるように形成されているので、第１小球３６が第１凹面５０ａ（ガイド凹部）に嵌まる際の衝撃（クリック感）を生じさせるようになっている。このような衝撃（クリック感）が生まれるため、所定の位置に可動部本体３２及び第１小球３６が回動されたことを確実に使用者に認識させることができる。また、この所定の位置で第１小球３６及び第１凹面５０ａとが嵌合した状態で、可動部を所定の姿勢で保持することができる。
【００９６】
また、本発明の一実施形態の水栓装置６によれば、関節部及び可動部を、取付け状態から引き出した状態で、回動させることができ且つ可動部からの吐水を行うことができるので、使用の形態に応じて、可動部の吐水口２６から吐水される湯水の着水位置をより自由に変えることができ、使い勝手のよい水栓装置６を提供することができる。
【００９７】
また、本発明の一実施形態の水栓装置６によれば、洗面化粧台１に設けられた水栓装置６が、洗髪時には可動部の吐水口２６を比較的高い位置に上昇させて壁面パネル８から離れた着水位置に向かって吐水させることができ、また、手洗い時には可動部の吐水口２６を比較的低い位置に下降させて壁面パネル８近傍の着水位置に向かって吐水させることができる。従って、可動部の吐水口２６を使用者の使いやすい方向に向けることができ、使い方によって異なる状態で生じる水はねを抑制することができる。また、使用者の使い勝手のよい洗面化粧台１を提供することができる。
【符号の説明】
【００９８】
１        洗面化粧台
２        下部キャビネット
４        洗面ボウル
６        水栓装置
８        壁面パネル
１０      操作部
１２      取付基部
１４      給水ホース
１６      吐水部
１６ａ    取付側部分
２０      円筒取付基部
２２      給水管
２４      給湯管
２６      吐水口
２８      吐水口部
２８ａ    取付基部側部分
２８ｂ    先端側部分
３０      ホースガイド
３２      可動部本体
３６      第１小球
３８      吐水口形成部
４０      外筒
４２      スペーサ
４６      本体カバー
４８      円筒基部
４８ａ    第２凹面
５０      ガイド部
５０ａ    第１凹面
５２      ヒンジ部
５４      吐水方向変更機構
５６      腕部
５８      環状部
６２      本体カバー取付け基部
６４      孔部
６６      吐水口部姿勢保持機構
６８      傾き調整機構
７２      第２孔部
７４      第２小球
７６      円筒取付基部外側プレート
８０      姿勢保持機構
８２      規制部
８４      凹部
８４ａ    第１端部
８４ｂ    第２端部
８６      突出部
Ａ１      中心軸線
Ａ２      中心軸線
Ａ３      中心軸線
Ａ４      中心軸線
Ａ５      中心軸線
Ａ６      中心軸線
Ａ７      中心軸線
Ａ８      中心軸線
Ａ９      中心軸線
Ａ１０    中心軸線
Ａ１１    中心軸線
Ａ１２    中心軸線
Ｂ１      位置
Ｂ２      位置
Ｂ３      位置
Ｃ１      位置
Ｃ２      位置
Ｃ３      位置
Ｄ２      直径
Ｄ４      直径
Ｗ        壁面
【図１】
0006716869.tif 000002
【図２】
0006716869.tif 000003
【図３】
0006716869.tif 000004
【図４】
0006716869.tif 000005
【図５】
0006716869.tif 000006
【図６】
0006716869.tif 000007
【図７】
0006716869.tif 000008
【図８】
0006716869.tif 000009
【図９】
0006716869.tif 000010
【図１０】
0006716869.tif 000011
【図１１】
0006716869.tif 000012
【図１２】
0006716869.tif 000013